(57)【要約】      （修正有）【課題】バルブの回転量の監視を容易に行うバルブ監視システムを提供する。【解決手段】バルブ監視システム１は、バルブの回転量を測定する回転量測定部１０と、回転量測定部により測定されたバルブの回転量の測定結果を管理する管理装置としての測定装置３０と、測定装置３０との間で無線通信が可能であり、管理装置から送信されるバルブの回転量の測定結果を表示する表示装置４０と、を有し、管理装置は、バルブの回転量の測定結果を保持する測定結果保持部３４と、測定結果保持部に保持された測定結果を表示装置に対して送信する測定結果送信部としての通信部３２と、を有し、表示装置４０は、測定装置３０から送信された測定結果を受信する測定結果受信部としての通信部４２と、通信部４２において受信された測定結果を表示する表示部４３と、を有する。【選択図】図１
0003229602.tif 000002
【実用新案登録請求の範囲】
【請求項１】
バルブの回転量を測定する回転量測定部と、
前記回転量測定部により測定された前記バルブの回転量の測定結果を管理する管理装置
と、
前記管理装置との間で無線通信が可能であり、前記管理装置から送信される前記バルブ
の回転量の測定結果を表示する表示装置と、を有し、
前記管理装置は、
前記バルブの回転量の測定結果を保持する測定結果保持部と、
前記測定結果保持部に保持された測定結果を前記表示装置に対して送信する測定結果
送信部と、
を有し、
前記表示装置は、
前記管理装置から送信された測定結果を受信する測定結果受信部と、
前記測定結果受信部において受信された測定結果を表示する表示部と、
を有する、バルブ監視システム。
【考案の詳細な説明】
【技術分野】
【０００１】
本考案は、バルブ監視システムに関する。
【背景技術】
【０００２】
従来から、作業者がバルブハンドルを手動で回転させることにより弁体の開閉が行われ
るタイプのバルブ装置が知られている。このようなバルブ装置において、バルブハンドル
の開度を確認するための装置が検討されている（例えば、特許文献１参照）。
【先行技術文献】
【特許文献】
【０００３】
【特許文献１】特開２００３−１８５０５５号公報
【考案の概要】
【考案が解決しようとする課題】
【０００４】
バルブ装置におけるバルブハンドルの開度は現場で目視確認する必要があるため、バル
ブ装置の数が増加すると開度の確認に係る作業量が増大する可能性があった。
【０００５】
本考案は上記を鑑みてなされたものであり、バルブの回転量の監視を容易に行うことが
可能なバルブ監視システムを提供することを目的とする。
【課題を解決するための手段】
【０００６】
上記目的を達成するため、本考案の一形態に係るバルブ監視システムは、バルブの回転
量を測定する回転量測定部と、前記回転量測定部により測定された前記バルブの回転量の
測定結果を管理する管理装置と、前記管理装置との間で無線通信が可能であり、前記管理
装置から送信される前記バルブの回転量の測定結果を表示する表示装置と、を有し、前記
管理装置は、前記バルブの回転量の測定結果を保持する測定結果保持部と、前記測定結果
保持部に保持された測定結果を前記表示装置に対して送信する測定結果送信部と、を有し
、前記表示装置は、前記管理装置から送信された測定結果を受信する測定結果受信部と、
前記測定結果受信部において受信された測定結果を表示する表示部と、を有する。
【０００７】
上記のように、バルブ監視システムによれば、バルブの回転量が回転量測定部により測
定され、測定結果が管理装置の測定結果保持部に保持される。また、その測定結果は、管
理装置から無線通信により表示装置に対して送信され、表示装置の表示部において表示可
能とされる。したがって、バルブを目視等で確認しなくても、バルブの回転量の監視を容
易に行うことが可能となる。
【０００８】
ここで、前記回転量測定部は、前記バルブの回転量を、当該回転量に対応した抵抗値に
変換する回転量変換部と、前記回転量変換部により変換された抵抗値を測定する抵抗値測
定部と、を有する態様とすることができる。
【０００９】
回転量変換部により、バルブの回転量を当該回転量に対応した抵抗値に変換し、抵抗値
測定部により、当該抵抗値を測定する態様とすることで、より正確にバルブの開度を測定
することが可能となる。
【００１０】
また、前記管理装置は、前記抵抗値測定部において測定された抵抗値に基づいて前記バ
ルブの回転量を算出する回転量算出部を有する態様とすることができる。
【００１１】
管理装置の回転量算出部において、抵抗値測定部において測定された抵抗値に基づいて
バルブの回転量を算出することで、抵抗値に基づいたバルブの回転量を適切に行うことが
できる。
【００１２】
また、前記回転量変換部は、前記バルブの回転量に応じてスライダーの位置が変更され
る可変抵抗器を含む態様とすることができる。
【００１３】
可変抵抗器を用いる構成とすることで、バルブの回転量を当該回転量に対応した抵抗値
に変換する構成をより簡単に実現することができる。
【００１４】
前記管理装置は、測定結果を表示する結果表示部を含む態様とすることができる。
【００１５】
管理装置が結果表示部を含んでいることにより、管理装置を利用してもバルブの回転量
の確認が可能となる。
【考案の効果】
【００１６】
本考案によれば、バルブの回転量の監視を容易に行うことが可能なバルブ監視システム
が提供される。
【図面の簡単な説明】
【００１７】
【図１】図１は、本考案の一実施形態に係るバルブ監視システムの概略構成を説明する図である。
【図２】図２は、回転量測定部の構成例を示す図である。
【図３】図３（ａ），図３（ｂ）は、回転量測定部の構成例を示す図である。
【図４】図４（ａ），図４（ｂ）は、表示部での表示例を示す図である。
【図５】図５は、バルブ監視システムでの処理の手順を説明するフロー図である。
【図６】図６は、バルブ監視システムでの処理の手順を説明するフロー図である。
【考案を実施するための形態】
【００１８】
以下、添付図面を参照して、本考案を実施するための形態を詳細に説明する。なお、図
面の説明においては同一要素には同一符号を付し、重複する説明を省略する。
［バルブ監視システムの構成］
【００１９】
図１を参照して、バルブ監視システムの構成について説明する。バルブ監視システム１
は、バルブＶの開度を監視するシステムである。図１に示すように、バルブ監視システム
１は、回転量測定部１０と、測定装置３０（管理装置）と、表示装置４０（表示装置）と
、を含んで構成される。このうち、回転量測定部１０及び測定装置３０は、互いに有線で
接続されている。また、測定装置３０と表示装置４０との間は、無線による通信が可能と
されている。したがって、回転量測定部１０及び測定装置３０を、バルブＶが設置される
作業場Ｒ１に設け、表示装置４０は作業場Ｒ１とは別の計器室Ｒ２に設けることができる
。
【００２０】
バルブ監視システム１による監視対象となるバルブＶとしては、ボールバルブ、グロー
ブバルブ（玉形弁）、バタフライバルブ、ゲートバルブ（仕切弁）などが挙げられる。い
ずれも、ハンドルを手動で回転することにより、弁体による開閉が制御されるバルブであ
る。このうち、ボールバルブ及びグローブバルブにおいて好適に用いることができる。
【００２１】
回転量測定部１０は、バルブＶの回転量（開度）を計測する回転量計測部としての機能
を有する。回転量測定部１０は、回転量変換部１１と、抵抗値測定部１２とを有する。回
転量変換部１１は、バルブＶのバルブハンドルまたはバルブ軸の回転量に応じた抵抗に変
換する機能を有する。回転量変換部１１は、例えば、スライド型の可変抵抗器を含んで構
成することができる。
【００２２】
回転量測定部１０の抵抗値測定部１２は、回転量変換部１１において回転量に応じて変
換された抵抗の大きさを測定する機能を有する。回転量変換部１１が可変抵抗器を含む構
成である場合、回転量変換部１１に含まれる可変抵抗器の抵抗値を測定する機能を有する
。
【００２３】
回転量測定部１０は、測定装置３０からの指示に基づいて抵抗値測定部１２において抵
抗値の測定を行い、その結果を測定装置３０に対して通知する。抵抗値測定部１２による
測定結果、すなわち、抵抗値に係る情報が測定装置３０に対して送られることで、測定装
置３０ではバルブＶの回転量に係る情報を得ることができる。
【００２４】
ここで、回転量変換部１１の構成例について、図２及び図３を参照しながら説明する。
【００２５】
図２は、ボールバルブに対して取り付けられる回転量変換部１１の構成例を示す図であ
る。図２では、ボールバルブのバルブ軸Ｖ１に対して回転量変換部１１が取り付けられて
いる。回転量変換部１１は、スライダー２２の直線移動によって抵抗値が変化する所謂ス
ライド形の可変抵抗器２１と、バルブ軸Ｖ１の回転に伴って回転すると共に、この回転に
よりスライダー２２を移動させる回転ピン２３とを有する。スライダー２２は、可変抵抗
器２１の長手方向に沿って設けられたレール２１ａに沿って移動可能である。
【００２６】
可変抵抗器２１は、その中心付近がバルブ軸Ｖ１に対して最も近くなり、且つ、その両
端とバルブ軸Ｖ１との距離が略等しくなるように、配置される。
【００２７】
回転ピン２３は、バルブ軸Ｖ１に対して固定される固定部２４と、固定部２４に対して
溶接等によって接合されるＵ字部２５とを有している。固定部２４の端部にＵ字部２５の
両端が接続されることにより、図２に示すように、回転ピン２３の端部には開口２３ａが
形成される。この開口２３ａ内にスライダー２２が挿入されるように可変抵抗器２１が配
置される。開口２３ａは、バルブ軸Ｖ１を中心とした径方向に沿って伸びている。また、
開口２３ａは、バルブ軸Ｖ１の回転に伴ってその位置を変更した場合でも、回転ピン２３
と可変抵抗器２１とが重なる位置にある場合には、開口２３ａとスライダー２２の移動可
能位置とが重なるような形状とされている。開口２３ａが径方向に沿って伸びているため
、スライダー２２は、バルブ軸Ｖ１を中心とした径方向に沿って開口２３ａ内を移動可能
とされている。
【００２８】
バルブ軸Ｖ１の回転に伴って回転ピン２３がバルブ軸Ｖ１を軸に回転すると、開口２３
ａ内に収容されたスライダー２２も開口２３ａの移動に伴って移動する。このとき、スラ
イダー２２は可変抵抗器２１の長手方向に沿って移動する。この結果、図２において状態
Ａ１及び状態Ａ３として示すように、回転ピン２３の端部（バルブ軸Ｖ１に対して遠い側
の端部）が可変抵抗器２１の端部と重なる位置では、開口２３ａの径方向外側（バルブ軸
Ｖ１から遠い側）に回転ピン２３が配置される。また、図２において状態Ａ２として示す
ように、回転ピン２３の端部（バルブ軸Ｖ１に対して遠い側の端部）が可変抵抗器２１の
中央付近と重なる位置では、開口２３ａのうち径方向内側（バルブ軸Ｖ１から近い側）に
回転ピン２３が配置される。このように、回転ピン２３の移動に伴って、スライダー２２
は、開口２３ａ内での位置を変化させながら、可変抵抗器２１のレール２１ａに沿って移
動する。また、スライダー２２が移動することで、可変抵抗器２１の抵抗の大きさが変化
する。抵抗値測定部１２は、可変抵抗器２１のスライダー２２の位置の変化に伴う抵抗値
の変化を測定することになる。
【００２９】
図３は、グローブバルブに対して取り付けられる回転量変換部１１の構成例を示す図で
ある。図３（ａ）は、回転量変換部１１の全体を説明する図である。図３（ａ）では、可
変抵抗器２１の側面を示しているが、図３（ｂ）は、可変抵抗器２１の正面を示している
。グローブバルブＶ２の場合、バルブハンドルＶ２１またはバルブ軸Ｖ２２に対して回転
量変換部１１が取り付けられる。図３（ａ）に示す例では、バルブ軸Ｖ２２に対して回転
量変換部１１が取り付けられた状態を示している。
【００３０】
図３に示す例では、回転量変換部１１は、スライダー２２の直線移動によって抵抗値が
変化する所謂スライド形の可変抵抗器２１と、スライダー２２に対して接続すると共に、
バルブ軸Ｖ２２に対して固定されたワイヤＷ１と、スライダー２２を挟んでワイヤＷ１側
とは逆側においてスライダー２２またはワイヤＷ１に対して連結されたスプリングＷ２と
、を有している。また、図３（ａ）に示すように、滑車２７によりワイヤＷ１の移動方向
を規制してもよい。
【００３１】
スライダー２２は、図２に示す例と同じく、可変抵抗器２１の長手方向に沿って設けら
れたレールに沿って移動可能である。可変抵抗器２１は、ワイヤＷ１の延材方向に沿って
伸びている。
【００３２】
ワイヤＷ１は、端部がバルブ軸Ｖ２２に対して固定される。そのため、バルブ軸Ｖ２２
が回転した場合には、ワイヤＷ１がバルブ軸Ｖ２２に巻き取られる。また、バルブ軸Ｖ２
２が逆回転した場合には、ワイヤＷ１がバルブ軸Ｖ２２から外れていく。バルブの全開状
態または全閉状態、すなわち、所定の方向に回転させきった状態において、ワイヤＷ１が
バルブ軸Ｖ２２に巻き取られておらず、且つ、ワイヤＷ１に対して接続されるスライダー
２２が可変抵抗器２１においてバルブから最も遠い位置となるように、可変抵抗器２１を
配置する。このとき、ワイヤＷ１を巻き取る方向にバルブ軸Ｖ２２を回転させると、バル
ブ軸Ｖ２２の回転に伴って巻き取られる分だけワイヤＷ１の長さが短くなる。そのため、
ワイヤＷ１に対して接続されたスライダー２２がワイヤＷ１により引き寄せられ、可変抵
抗器２１のレールに沿って移動する。このように、ワイヤＷ１の長さの変化、特にワイヤ
Ｗ１の長さが短くなることに応じてスライダー２２が移動するような構成とすることで、
可変抵抗器２１の抵抗の大きさを変化させることができる。
【００３３】
なお、スプリングＷ２は、例えば床Ｆ等に対して固定されていて、スライダー２２と床
Ｆとを接続している。ワイヤＷ１が長くなる方向にバルブ軸Ｖ２２が回転した場合、ワイ
ヤＷ１の端部（バルブ軸Ｖ２２側とは逆側の端部）は、スライダー２２を押すことになる
が、ワイヤＷ１のみではスライダー２２を移動させることが可能な程度までスライダー２
２を押すことはできない。そこで、スプリングＷ２によって、スライダー２２を床Ｆ側へ
引き込むように付勢することにより、ワイヤＷ１が突っ張った状態に対応する位置にスラ
イダー２２を配置することができる。すなわち、ワイヤＷ１が巻き取られる方向にバルブ
軸Ｖ２２が回転した場合には、巻き取られたワイヤＷ１の長さに応じてスライダー２２が
移動される。一方、ワイヤＷ１が巻き取られる方向とは逆の方向（ワイヤＷ１が長くなる
方向）にバルブ軸Ｖ２２が回転した場合には、長くなったワイヤＷ１の長さに応じて、ス
プリングＷ２によりスライダー２２が移動される。
【００３４】
このように、図３に示す例でも、バルブ軸Ｖ２２の回転に応じて変化するワイヤＷ１の
長さに応じて、スライダー２２が移動し、可変抵抗器２１の抵抗の大きさを変化させるこ
とができる。抵抗値測定部１２は、可変抵抗器２１のスライダー２２の位置の変化に伴う
抵抗値の変化を測定することになる。
【００３５】
図２及び図３で示した回転量変換部１１の構成は一例である。バルブＶの形状等に応じ
て回転量測定部１０、特に回転量変換部１１の構成及び配置は適宜変更することができる
。また、回転量変換部１１に可変抵抗器２１が用いられる場合、可変抵抗器２１はバルブ
Ｖに対して取り付けられていてもよいし、バルブＶの周辺機器または床等に取り付けられ
ていてもよい。
【００３６】
なお、図１では、バルブ監視システム１による監視対象のバルブＶが１つだけ示されて
いるが、バルブ監視システム１は、複数のバルブを同時に監視することができる。この場
合、複数のバルブそれぞれに対して回転量測定部１０が設けられる。そして、複数の回転
量測定部１０のそれぞれにおいて検出された各バルブの回転量に係る情報が測定装置３０
に対して送られ、測定装置３０において各バルブの回転量に係る情報を管理する。以下の
実施形態では１つのバルブＶの回転量に係る監視を行う場合を中心に説明する。
【００３７】
図１に戻り、測定装置３０は、回転量測定部１０を制御してバルブＶの回転量を検出す
る。また、測定装置３０は、表示装置４０との間で通信し、表示装置４０に対してバルブ
Ｖの回転量に係る情報を送信する機能を有する。測定装置３０は、制御部３１と、通信部
３２（測定結果送信部）と、表示部３３（結果表示部）と、測定結果保持部３４と、を有
する。
【００３８】
制御部３１は、回転量測定部１０を制御する機能を有する。また、回転量測定部１０か
ら送信される抵抗値に係る情報から回転量（開度）を算出する回転量算出部としての機能
を有する。さらに、制御部３１は、測定装置３０と表示装置４０との情報の送受信に係る
制御も行う。
【００３９】
通信部３２は、制御部３１による制御に基づいて表示装置４０との間で通信を行う機能
を有する。通信部３２は、表示装置４０に対して回転量測定部１０による測定結果である
、バルブの回転量に係る情報を送信する測定結果送信部としての機能を有する。なお、通
信部３２は、表示装置４０からの情報を受信する機能を有していてもよい。すなわち、測
定装置３０と表示装置４０との間で情報の送受信が可能であってもよい。
【００４０】
表示部３３は、測定装置３０において取得した回転量に係る情報を表示する機能を有す
る。表示部３３としては例えばディスプレイ装置等を用いることができる。また、表示部
３３はタッチパネル等により構成されていてもよい。その場合、表示部３３は、ユーザか
らの指示等を受け付ける入力部としての機能も有する。本実施形態では、表示部３３がタ
ッチパネルであり、入力部としての機能を有する場合について説明する。
【００４１】
測定装置３０の表示部３３における表示例を図４に示す。図４（ａ）では、測定装置３
０が保持しているバルブの回転量に係る情報を開度（％）として示している。図４（ａ）
に示す例では、４つのバルブの回転量に係る情報を表示している。また、図４（ａ）に示
す例では、開度（％）に係る設定を行うための画面に移行するための「Ｃｏｎｆｉｇ」ボ
タンが示されている。この「Ｃｏｎｆｉｇ」ボタンを選択すると、図４（ｂ）に示すよう
に、開度を百分率で示すための０％となる位置と１００％となる位置を設定するための画
面が表示される。例えば、バルブが閉状態のときを０％とし、バルブが開状態のときを１
００％とする場合には、バルブを閉状態とした状態で「０％（閉）」ボタンを押し、バル
ブを開状態とした状態で「１００％（開）」ボタンを押す。これにより、０％状態での可
変抵抗器２１の抵抗値と、１００％状態での可変抵抗器２１の抵抗値とを、測定装置３０
が把握することができる。このような手順を経ることで、抵抗値と開度との関係に係る情
報を測定装置３０で保持することができ、抵抗値と開度の関係に係る情報を利用して、測
定装置３０の制御部３１において抵抗値から開度（回転量）を算出することが可能となる
。
【００４２】
なお、抵抗値と開度との関係に係る情報を測定装置３０が取得する方法は上記実施形態
に限定されない。抵抗値と開度との関係に係る情報は測定装置３０が予め保持してもよい
。また、上記のように表示部３３を利用した入力を用いずに、抵抗値と開度の関係に係る
情報を測定装置３０に保持される構成としてもよい。なお、表示部３３による表示内容等
は適宜変更することができる。
【００４３】
図１に戻り、測定結果保持部３４は、回転量測定部１０による測定結果として、制御部
３１により算出された回転量（開度）に係る情報を保持する機能を有する。また、回転量
測定部１０から送信された抵抗値に係る情報も保持する構成としてもよい。測定結果保持
部３４において保持される情報は、表示装置４０に対して送信される。
【００４４】
表示装置４０は、測定装置３０との間で通信し、測定装置３０から送信されるバルブＶ
の回転量に係る情報を受信し、表示する機能を有する。表示装置４０は、制御部４１と、
通信部４２（測定結果受信部）と、表示部４３と、を有する。
【００４５】
制御部４１は、表示装置４０を構成する各部を制御する機能を有する。制御部４１は、
測定装置３０と表示装置４０との情報の送受信に係る制御、及び、表示部４３での情報の
表示の制御も行う。
【００４６】
通信部４２は、制御部４１による制御に基づいて測定装置３０との間で通信を行う機能
を有する。通信部４２は測定装置３０から送信される測定結果としてのバルブの回転量に
係る情報を受信する測定結果受信部としての機能を有する。なお、通信部４２は、測定装
置３０に対して情報を送信する機能を有していてもよい。すなわち、測定装置３０と表示
装置４０との間で情報の送受信が可能であってもよい。
【００４７】
表示部４３は、測定装置３０から送信された回転量に係る情報を表示する機能を有する
。表示部４３としては例えばディスプレイ装置等を用いることができる。また、表示部４
３はタッチパネル等により構成されていてもよい。その場合、表示部４３は、ユーザから
の指示等を受け付ける入力部としての機能も有していてもよい。
【００４８】
なお、表示装置４０の表示部４３における表示例は、図４と同様であってもよい。ただ
し、表示装置４０では、回転量の算出を行わないため、抵抗値と開度との関係に係る情報
を保持する必要はない。したがって、抵抗値と開度との関係に係る情報を取得するための
画面（図４（ｂ）に示す例）等を表示する必要はない。なお、表示部４３による表示内容
等は適宜変更することができる。
【００４９】
次に、図５及び図６を参照しながら、バルブ監視システム１によるバルブの監視の方法
について説明する。図５は、回転量測定部１０及び測定装置３０側の処理の手順を示す図
であり、図６は、表示装置４０側の処理の手順を示す図である。
【００５０】
図５を参照して回転量測定部１０及び測定装置３０側の処理の手順について説明する。
まず、測定装置３０の電源を入れる等により、測定装置３０の表示部３３にＧＵＩ(Graph
ical User Interface)を表示させる（Ｓ０１）。その後は、測定装置３０及び回転量測定
部１０によるバルブの回転量の測定（Ｓ１１〜Ｓ１５）と、測定装置３０による表示装置
４０への測定結果の送信（Ｓ２１〜Ｓ２４）と並行して行う。
【００５１】
バルブの回転量の測定に関しては、まず、回転量測定部１０において回転量を測定する
（Ｓ１１）。具体的には、回転量変換部１１において、バルブの回転量に応じた可変抵抗
器２１の抵抗値に変換し、この抵抗値を抵抗値測定部１２により測定する。この結果が、
測定装置３０の制御部３１へ送られる。制御部３１では、抵抗値をバルブの回転量（開度
（％））に変換する（Ｓ１２）。制御部３１において算出されたバルブの回転量に係る測
定家かは、測定結果保持部３４において保持される（Ｓ１３）。また、表示部３３におけ
る表示内容（ＧＵＩ）を更新する（Ｓ１４）。上記の一連の処理をバルブの回転量の測定
が終了するまで繰り返し行なう（Ｓ１５）。
【００５２】
一方、表示装置４０への測定結果の送信に関しては、まず、測定装置３０の制御部３１
の制御により、通信部３２が表示装置４０との間で通信し、両者の間で情報の送受信が可
能なように無線接続を行う（Ｓ２１）。無線接続されるまで、この処理は繰り返される。
その後、制御部３１は、測定結果保持部３４を参照し（Ｓ２２）、表示装置４０に対して
送信する測定結果を選択する。そして、通信部３２により、測定結果が表示装置４０へ送
信される（Ｓ２３）。上記の一連の処理を表示装置への測定結果の送信が終了するまで繰
り返し行なう（Ｓ１５）。
【００５３】
なお、測定装置３０及び回転量測定部１０によるバルブの回転量の測定（Ｓ１１〜Ｓ１
５）と、測定装置３０による表示装置４０への測定結果の送信（Ｓ２１〜Ｓ２４）と、は
、同時に行ってもよいし、処理のタイミングを変更してもよい。例えば、測定装置３０及
び回転量測定部１０によるバルブの回転量の測定（Ｓ１１〜Ｓ１５）についてはバルブ監
視システム１が起動している間は常時実行し、測定装置３０による表示装置４０への測定
結果の送信（Ｓ２１〜Ｓ２４）は所定のタイミング（例えば、１分毎など）に定期的に行
う構成であってもよい。バルブの状態が変化する頻度（例えば、開閉作業を行う頻度）に
応じて、測定装置３０及び回転量測定部１０によるバルブの回転量の測定（Ｓ１１〜Ｓ１
５）、及び、測定装置３０による表示装置４０への測定結果の送信（Ｓ２１〜Ｓ２４）を
行うタイミングは、それぞれ適宜変更してもよい。また、バルブ監視システム１が複数の
バルブの監視を行う場合には、バルブの回転量の測定（Ｓ１１〜Ｓ１５）はバルブ毎に行
われるが、その実施タイミングはバルブ毎に変更してもよい。
【００５４】
図６を参照して表示装置４０側の処理の手順について説明する。まず、表示装置４０の
電源を入れる等により、表示装置４０の表示部４３にＧＵＩ(Graphical User Interface)
を表示させる（Ｓ３１）。次に、制御部４１の制御により、通信部４２が測定装置３０と
の間で通信し、両者の間で情報の送受信が可能なように無線接続を行う（Ｓ３２）。この
ときに、例えば、表示装置４０側では、測定装置３０からの接続要求を待機する構成とし
てもよい。測定装置３０と表示装置４０とが情報の送受信が可能な状態になると、通信部
４２は、測定装置３０から送信される測定結果を受信する（Ｓ３３）。そして、受信した
測定結果に基づいて、表示部４３における表示内容（ＧＵＩ）を更新する（Ｓ４４）。上
記の一連の処理をバルブの回転量の測定が終了するまで繰り返し行なう（Ｓ４５）。
【００５５】
このように、本実施形態に係るバルブ監視システム１によれば、バルブの回転量が回転
量測定部１０により測定され、この測定結果が管理装置として機能する測定装置３０の測
定結果保持部３４に保持される。また、その測定結果は、測定装置３０から無線通信によ
り表示装置４０に対して送信され、表示装置４０の表示部４３において表示可能とされる
。したがって、バルブを目視等で確認しなくても、バルブの回転量の監視を容易に行うこ
とが可能となる。
【００５６】
従来は、バルブの回転量（開度）は目視により確認されることが一般的であった。その
ため、バルブが取り付けられている現場でバルブの回転量を確認する必要があった。しか
しながら、このような場合、複数のバルブの回転量を監視することは困難である。また、
バルブを長時間監視することは困難となる。これに対して、本実施形態に係るバルブ監視
システム１では、表示装置４０の表示部４３を参照することで、バルブの回転量の確認を
行うことができる。また、表示装置４０は、測定装置３０との間で無線通信を行ってバル
ブの回転量の測定結果を取得することができるため、表示装置４０は、回転量測定部１０
及び測定装置３０とは離間した位置に設置することができる。したがって、バルブの取り
付け位置においてバルブの回転量を監視する必要がなく、バルブの回転量の監視を容易に
行うことができる。
【００５７】
また、上記のバルブ監視システム１では、回転量測定部１０の回転量変換部１１により
、バルブの回転量を当該回転量に対応した抵抗値に変換し、回転量測定部１０の抵抗値測
定部１２により、当該抵抗値を測定する。このような態様とすることで、例えば目視確認
をする場合と比較してより正確にバルブの開度を測定することが可能となる。
【００５８】
管理装置としての測定装置３０の回転量算出部（制御部３１）において、抵抗値測定部
１２において測定された抵抗値に基づいてバルブの回転量を算出する構成とすることで、
抵抗値に基づいたバルブの回転量を適切に算出することができる。
【００５９】
また、回転量変換部１１は、バルブの回転量に応じてスライダー２２の位置が変更され
る可変抵抗器２１を含むことができる。可変抵抗器２１を用いる構成とすることで、バル
ブの回転量を当該回転量に対応した抵抗値に変換する構成をより簡単に実現することがで
きる。
【００６０】
また、測定装置３０は、測定結果を表示する表示部３３を含んでいる。この場合、ユー
ザが測定装置３０を参照することによっても、回転量測定部１０により得られたバルブの
回転量の確認が可能となる。バルブを回転する場合、操作幅の指標が人によって異なる可
能性があり、例えば「１／３回転」という回転量が指定された場合であっても、回転量が
バルブの操作者によって異なる可能性があった。これに対してバルブ監視システム１の測
定装置３０の表示部３３において測定結果を表示することで、バルブの操作者が回転量を
確認することができるため、より正確にバルブの操作を行うことができる。
【００６１】
今回開示された実施形態はすべての点で例示であって制限的なものではないと考えられ
るべきである。上記の実施形態は、添付の請求の範囲及びその主旨を逸脱することなく、
様々な形態で省略、置換、変更されてもよい。
【００６２】
例えば、上記実施形態ではバルブの回転量として開度を用いる場合について説明したが
、開度を用いなくてもよい。また、上記で説明した回転量測定部１０の構成は一例であり
、可変抵抗器を用いずに回転量測定部１０を構成してもよい。
【００６３】
また、測定装置３０は表示部３３を備えていなくてもよい。この場合、表示装置４０に
おいてのみ測定結果が確認可能な構成となる。このような場合でも、バルブの回転量をバ
ルブ近傍とは異なる位置で確認することが可能となるため、バルブの回転量の監視が容易
になる。
【符号の説明】
【００６４】
１…バルブ監視システム、１０…回転量測定部、１１…回転量変換部、１２…抵抗値測
定部、２１…可変抵抗器、２２…スライダー、３０…測定装置、３１…制御部、３２…通
信部、３３…表示部、３４…測定結果保持部、４０…表示装置、４１…制御部、４２…通
信部、４３…表示部。
【図１】
0003229602.tif 000003
【図２】
0003229602.tif 000004
【図３】
0003229602.tif 000005
【図４】
0003229602.tif 000006
【図５】
0003229602.tif 000007
【図６】
0003229602.tif 000008